(57)【要約】【課題】従来技術においては、光ディスク上に記録された動画像のいわゆる特殊再生については、特に考慮されていなかった。例えば、一般的に動画像の再生においては、１倍速の連続再生以外にも、ｎ倍速の可変速再生、あるいは逆転再生等も要求され、これに対応する再生装置が必要になる。また、検索動作についても同様に高速な検索が要求される。【解決手段】特殊再生用のテーブルを記録し、各セクタにはセクタアドレスを付加しておく。そして、本発明の光ディスク再生装置は、上記特殊再生用テーブルを参照して、対応する圧縮画像データのセクタアドレスを求め、光ディスク上でそのアドレスを検索して再生する。これにより、高速再生、スロー再生、逆方向再生等の特殊再生及び検索動作を容易に行うことが可能となる。【選択図】  図２
2006031930.tif 000002
【特許請求の範囲】
【請求項１】
複数のセクタからなり、夫々のセクタにはセクタアドレスが記録さ
れている画像データを光ディスクに記録する画像データ記録方法であって、画像
データを可変転送レートで圧縮し、比例関係にない、前記セクタアドレスと対応
する圧縮画像データの時間情報との関係を示すテーブルを記録し、前記テーブル
を参照することにより所望の時間情報に対応した画像データを選択的に再生可能
となるように画像データを記録することを特徴とする画像データ記録方法。
【請求項２】
光ディスクに記録された画像データを再生する光ディスク再生方法
であって、該光ディスクは、前記画像データが複数セクタで構成されて記録され
ており、夫々のセクタにはセクタアドレスが記録されており、前記画像データは
可変転送レートで圧縮されており、さらに、比例関係にはない、前記セクタアド
レスと対応する圧縮画像データの時間情報との関係を示すテーブルを有しており
、前記セクタアドレスと対応する圧縮画像データの時間情報との関係を示すテー
ブルを参照することにより所望の時間情報に対応した画像データを再生するため
のセクタアドレスを検出し、検出されたセクタアドレスを前記光ディスク上で検
索して画像データを再生することを特徴とする光ディスク再生方法。
【発明の詳細な説明】
【技術分野】
【０００１】
本発明は、光ディスクに情報を記録する記録方法とそれを再生する光ディスク
再生方法に係わり、特に動画像圧縮データが記録された光ディスクの情報記録方
法と、その光ディスクから動画再生を行う光ディスク再生方法に関する。
【背景技術】
【０００２】
光ディスクを用いてディジタルデータを再生するシステムの代表例として、い
わゆるＣＤ−ＲＯＭがある。ＣＤ−ＲＯＭは、オーディオ用のＣＤと同じ物理フ
ォーマットの光ディスクにコンピュータ用のデータを記録したものであり、以下
に述べるようなデータフォーマットを有している。光ディスク上に記録されたデ
ータ列は、フレームと呼ばれる最小単位から構成されており、各フレームには同
期データ、サブコード、主情報のディジタルデータ、エラー訂正コードが含まれ
ている。さらに、このフレームを９８フレーム分（２３５２バイト）まとめて１
セクタとするセクタ構造をとっており、各セクタは１２バイトの同期データ、ア
ドレスとモードを示す４バイトのヘッダデータ、２０４８バイトのディジタルデ
ータ、２８８バイトのエラー検出・訂正コードから構成される。
【０００３】
一方、動画像信号の符号化方式としては、直交変換と量子化および可変長符号
化にフレーム間予測を組み合わせた方式が良く知られており、ＩＳＯ（国際標準
化機構）のＭＰＥＧ方式もこれに準じた方式となっている。符号化された画像デ
ータのビットストリームは、例えばＭＰＥＧ２の場合には、シーケンス層、ＧＯ
Ｐ（Group of Pictures）層、ピクチャ層、スライス層、マクロブロック層、ブ
ロック層の６階層に分けられている。このうちＧＯＰ層には、フレーム間予測を
使わずにその情報だけから符号化されたＩピクチャ、ＩピクチャあるいはＰピク
チャからの予測を行うことによって生成するＰピクチャ、双方向予測によって生
成されるＢピクチャの３種類のデータが含まれる。またシーケンス層は、前記Ｉ
ピクチャから始まりＰピクチャ、Ｂピクチャを含む画像データをひとつのグルー
プとしたＧＯＰと、該ＧＯＰの先頭に付加されるＳＨ（Sequence Header）によ
って構成される。
【０００４】
また、動画像信号を高能率符号化して圧縮画像データに変換する際、例えば動
きの激しいシーンでは圧縮率を下げて、すなわち高転送レートで符号化し、動き
の少ないシーンでは圧縮率を上げて、すなわち低転送レートで符号化する方式が
提案されている。このようにして符号化された可変転送レートの圧縮画像データ
は、前記圧縮率の平均値に固定して符号化した固定転送レートの圧縮画像データ
と比較して、圧縮による画像劣化を少なくすることができる。
【０００５】
以上に述べたような可変転送レートや固定転送レートの圧縮画像データを、前
記ＣＤ−ＲＯＭ等の光ディスクに記録し、これを再生する装置が既に発表されて
いる。
【発明の開示】
【発明が解決しようとする課題】
【０００６】
上記従来技術においては、光ディスク上に記録された動画像のいわゆる特殊再
生については、特に考慮されていなかった。例えば、一般的に動画像の再生にお
いては、１倍速の連続再生以外にも、ｎ倍速の可変速再生、あるいは逆転再生等
も要求され、これに対応する再生装置が必要になる。また、検索動作についても
同様に高速な検索が要求される。
【０００７】
本発明の目的は、圧縮画像データが記録された光ディスクに対し、各種特殊再
生が可能で、高速な検索動作が可能な光ディスクの情報記録方法および光ディス
ク再生方法を提供することにある。
【課題を解決するための手段】
【０００８】
上記目的を達成するために、本発明の光ディスクはＴＯＣ（Table of Content
s）やディスクの先頭セクタ（セクタ０）等の任意のエリアに、特殊再生用のテ
ーブルを記録し、各セクタにはセクタアドレスを付加しておく。
【０００９】
また、本発明の光ディスク再生装置は上記特殊再生用テーブルを参照して、圧
縮画像データのビットストリーム内のＧＯＰ層に含まれているＩピクチャ、Ｐピ
クチャ、Ｂピクチャを抜き出して再生する手段を備える。
【発明の効果】
【００１０】
本発明の光ディスクには、特殊再生用のテーブルを記録し、各セクタにはセク
タアドレスを付加しておく。そして、本発明の光ディスク再生装置は、上記特殊
再生用テーブルを参照して、対応する圧縮画像データのセクタアドレスを求め、
光ディスク上でそのアドレスを検索して再生する。これにより、高速再生、スロ
ー再生、逆方向再生等の特殊再生及び検索動作を容易に行うことが可能となる。
【発明を実施するための最良の形態】
【００１１】
以下、本発明の実施例を図面を用いて説明する。
【００１２】
図１は本発明による光ディスクの第１の実施例を示す図である。同図は光ディ
スク上の特殊再生用テーブルを示したものである。特殊再生用テーブルはその光
ディスクに記録されているすべての曲や章について、曲、章の番号（インデック
ス）と対応するセクタアドレスを記録している。光ディスクの各セクタにはセク
タアドレスを付加し、この特殊再生用テーブルをＴＯＣ（Table of Contents）
あるいはディスクの先頭セクタ（セクタ０）等のエリアに記録しておく。
【００１３】
光ディスク再生装置にこの光ディスクが装着されたら、システムマイコンはま
ず特殊再生用テーブルを読み込んで、ワークエリアに記憶する。特殊再生を行う
場合には、この特殊再生用テーブルを参照して読み出すべきセクタのアドレスを
求め、光ディスク上でそのアドレスを検索して画像を再生する。
【００１４】
この結果、特殊再生用テーブルを参照して読み出すべきセクタのアドレスを求
めるので、検索を高速に行うことが可能できる。
【００１５】
図２は本発明による光ディスクの第２の実施例を示す図である。同図は光ディ
スク上の特殊再生用テーブルを示したものである。特殊再生用テーブルはその光
ディスクに記録されているデータのすべてのセクタアドレスと対応するタイムコ
ード（時間情報）を記録している。この特殊再生用テーブルをＴＯＣ（Table of
Contents）あるいはディスクの先頭セクタ（セクタ０）等のエリアに記録して
おく。
【００１６】
光ディスク再生装置にこの光ディスクが装着されたら、システムマイコンはま
ず特殊再生用テーブルを読み込んで、ワークエリアに記憶する。特殊再生を行う
場合には、この特殊再生用テーブルを参照して読み出すべきセクタのアドレスを
求め、光ディスク上でそのアドレスを検索して画像を再生する。
【００１７】
この結果、通常再生以外の特殊再生時において、特殊再生用テーブルを参照し
て読み出すべきセクタのアドレスを求めるので、特殊再生を容易に行うことがで
き、また検索を高速に行うことができる。
【００１８】
また、可変転送レートの圧縮画像データを再生する場合は、セクタアドレスと
タイムコードは比例関係にならないため、タイムコードからセクタアドレスが求
められず、正確な検索ができないが、本実施例の特殊再生用テーブルを参照すれ
ば対応するセクタアドレスが求められ、正確な検索を行うことができる。
【００１９】
図３は本発明による光ディスクの第３の実施例を示す図である。同図は光ディ
スク上の特殊再生用テーブルを示したものである。特殊再生用テーブルはその光
ディスクに記録されているデータのすべてのセクタアドレスとその内容を記録し
ている。この特殊再生用テーブルをＴＯＣ（Table of Contents）あるいはディ
スクの先頭セクタ（セクタ０）等のエリアに記録しておく。
【００２０】
光ディスク再生装置にこの光ディスクが装着されたら、システムマイコンはま
ず特殊再生用テーブルを読み込んで、ワークエリアに記憶する。検索を行う場合
には、この特殊再生用テーブルを参照して読み出すべきセクタのアドレスを求め
、光ディスク上でそのアドレスを検索して画像を再生する。
【００２１】
この結果、通常再生以外の特殊再生時において、特殊再生用テーブルを参照し
て読み出すべきセクタのアドレスを求めるので、特殊再生を容易に行うことがで
き、また検索を高速に行うことができる。
【００２２】
図４は本発明による光ディスクの第４の実施例を示す図である。同図は光ディ
スク上の特殊再生用テーブルを示したものである。特殊再生用テーブルはその光
ディスクに記録されているＧＯＰの先頭に付加されるＳＨ（SequenceHeader）と
そのセクタアドレスを記録している。この特殊再生用テーブルをＴＯＣ（Table 
of Contents）あるいはディスクの先頭セクタ（セクタ０）等のエリアに記録し
ておく。
【００２３】
光ディスク再生装置にこの光ディスクが装着されたら、システムマイコンはま
ず特殊再生用テーブルを読み込んで、ワークエリアに記憶する。検索を行う場合
には、この特殊再生用テーブルを参照して読み出すべきセクタのアドレスを求め
、光ディスク上でそのアドレスを検索して画像を再生する。
【００２４】
この結果、通常再生以外の特殊再生時において、特殊再生用テーブルを参照し
て読み出すべきセクタのアドレスを求めるので、特殊再生を容易に行うことがで
き、また検索を高速に行うことができる。
【００２５】
図５は本発明による光ディスクの第５の実施例を示す図である。同図は光ディ
スク上の特殊再生用テーブルを示したものである。特殊再生用テーブルはその光
ディスクに記録されているＩピクチャのセクタアドレスを記録している。この特
殊再生用テーブルをＴＯＣ（Table of Contents）あるいはディスクの先頭セク
タ（セクタ０）等のエリアに記録しておく。
【００２６】
光ディスク再生装置にこの光ディスクが装着されたら、システムマイコンはま
ず特殊再生用テーブルを読み込んで、ワークエリアに記憶する。検索を行う場合
には、この特殊再生用テーブルを参照して読み出すべきセクタのアドレスを求め
、光ディスク上でそのアドレスを検索して画像を再生する。
【００２７】
この結果、通常再生以外の特殊再生時において、特殊再生用テーブルを参照し
てＩピクチャのセクタアドレスを求めるので、Ｉピクチャのみを抜き出して特殊
再生を行うことができる。また、特殊再生用テーブルにはＢピクチャ、Ｐピクチ
ャのセクタアドレスを記録しておくこともでき、滑らかな特殊再生を行うことが
できる。
【００２８】
図６は本発明による光ディスクの第６の実施例を示す図である。同図は光ディ
スク上の複数の特殊再生用テーブルと、その識別コードを示したものである。光
ディスク再生装置に光ディスクが装着されたら、システムマイコンは光ディスク
に記録されている特殊再生用テーブルを読み込んで、ワークエリアに記憶する。
その際、システムマイコンはこの識別コードにより、各特殊再生用テーブルを識
別してワークエリアの所定のアドレスに記憶することができる。したがって、シ
ステムマイコンは特殊再生用テーブルが何種類存在しても、それぞれのテーブル
を識別してワークエリアに記憶できるので、特殊再生時には必要な特殊再生用テ
ーブルを参照してセクタのアドレスを求め、特殊再生を容易に行うことができ、
また検索を高速に行うことができる。
【００２９】
図７は本発明による光ディスクの第７の実施例を示す図である。同図（ａ）は
光ディスク上のトラックを模式的に示したもので、光ディスクには螺旋状のトラ
ックが形成されている。同図（ｂ）、（ｃ）はトラックに記録されたデータフォ
ーマットを示したものであり、各セクタには同期信号（Ｓｙｎｃ）、セクタアド
レス（ＳＡ）、ブロックアドレス（ＢＡ）、パリティ（Ｐ）、ディジタルデータ
（Ｄａｔａ）、エラー訂正コード（ＥＣＣ）が含まれている。セクタアドレスは
各ブロック毎に同じアドレスが記録されている。
【００３０】
図８は本発明による光ディスクの第８の実施例を示す図である。同図（ａ）は
光ディスク上のトラックを模式的に示したもので、光ディスクには螺旋状のトラ
ックが形成されている。同図（ｂ）、（ｃ）はトラックに記録されたデータフォ
ーマットを示したものであり、各セクタには同期信号（Ｓ０、Ｓ１）、セクタア
ドレス（ＳＡ）、ブロックアドレス（ＢＡ）、パリティ（Ｐ）、ディジタルデー
タ（Ｄａｔａ）、エラー訂正コード（ＥＣＣ）が含まれている。セクタアドレス
は２ブロックに渡って記録されており、ＳＡ１、ＳＡ２、ＳＡ３で１つのアドレ
スを表している。このため、第７の実施例よりもアドレスの冗長度が小さく、ア
ドレスエリアを小さくできる。
【００３１】
図９は本発明による光ディスクの第９の実施例を示す図である。同図（ａ）は
光ディスク上のトラックを模式的に示したもので、光ディスクには螺旋状のトラ
ックが形成されている。同図（ｂ）はトラックに記録されたデータフォーマット
を示したものであり、各セクタには同期信号（Ｓ０、Ｓ１、Ｓ２）、セクタアド
レス（ＳＡ）、ブロックアドレス（ＢＡ）、パリティ（Ｐ）、ディジタルデータ
（Ｄａｔａ）、エラー訂正コード（ＥＣＣ）が含まれている。セクタアドレスは
２ブロックに渡って記録されており、ＳＡ１、ＳＡ２、ＳＡ３で１つのアドレス
を表している。このため、第７、第８の実施例よりもアドレスの冗長度が小さく
、アドレスエリアを小さくできる。
【００３２】
図１０は本発明による光ディスク再生装置の実施例を示す図である。同図は光
ディスク上のトラックを模式的に示したもので、光ディスクには螺旋状のトラッ
クが形成されている。（ｘ−１）、ｘ、（ｘ＋１）、…（ｘ＋ｙ）、（ｘ＋ｙ＋
１）はそれぞれセクタを表し、通常再生時はこの順番にデータを再生する。
【００３３】
次に、特殊再生動作についてｎ倍速再生時の動作を例にとって説明する。図１
０において、セクタｘを再生している時にｎ倍速再生の命令が入力されたとする
。まずセクタｘのデータを読み出した後、トラックジャンプ等により次の目標セ
クタである（ｘ＋ｎ）を検索する。この初期位置から目標セクタまでの距離ｎは
、何倍速で再生を行うかに応じてシステムマイコンにより計算する。検索が行わ
れた後、セクタ（ｘ＋ｎ）のデータを読み出し、再び次の目標セクタである（ｘ
＋２ｎ）を検索し、以後同様にこの動作を繰り返す。
【００３４】
光ディスク再生装置に光ディスクが装着されたら、システムマイコンはまず光
ディスクに記録されている特殊再生用テーブルを読み込んで、ワークエリアに記
憶しておく。特殊再生を行う場合には、必要な特殊再生用テーブルを参照して読
み出すべきセクタのアドレスを求め、光ディスク上でそのアドレスを検索して画
像を再生する。
【００３５】
図１１は、上記ｎ倍速再生時の動作のフローチャートである。ここで、ｍはＧ
ＯＰに含まれるＩピクチャの個数である。リモコン等の外部入力装置からｎ倍速
再生の命令が入力されると、まずｍ＝ｎであるかを判定し、ｍ＝ｎの時は特殊再
生用テーブルによりＩピクチャのみを検索して再生する。ｍ＜ｎの時は特殊再生
用テーブルによりＩピクチャを飛び飛びに検索して再生する。ｍ＝２ｎ、ｍ＝３
ｎのような場合はＩピクチャのみを検索して再生すればよいが、ｍ＝２．５ｎの
ような場合には、Ｉピクチャのみでなく、Ｐピクチャも飛び飛びに検索して再生
すれば、さらに滑らかに可変速再生をすることができる。ｍ＞ｎの時は特殊再生
用テーブルによりＩピクチャに加えて、Ｐピクチャを飛び飛びに検索して再生す
る。この時、Ｉピクチャ、Ｐピクチャに加えてさらにＢピクチャを飛び飛びに検
索して再生すれば、滑らかに可変速再生をすることができる。その後ｎ倍速再生
命令が継続中であれば、上記の動作を繰り返させる。
【００３６】
なお、以上ｎ倍速再生動作を例にとって説明したが、ｎ倍速再生のｎをマイナ
スとすれば逆方向再生に容易に適用できる。また、｜ｎ｜＜１とすればスロー再
生を行わせることが可能である。
【００３７】
以上のように、特殊再生用テーブルを参照して検索を行うことにより、例えば
ＭＰＥＧ方式により符号化された画像データにおいてＧＯＰ単位の画像再生を容
易に行うことができる。従って１倍速の連続再生以外にも、スロー再生、高速再
生、あるいは逆方向再生等の特殊再生や高速な検索動作が可能となる。
【００３８】
なお、本発明は上記各実施例に限定されるものではなく、その主旨を逸脱しな
い範囲で種々に変形して実施することができる。
【００３９】
光ディスク再生装置に光ディスクが装着されたら、システムマイコンはまず光
ディスクに記録されている特殊再生用テーブルを読み込んで、ワークエリアに記
憶しておく。特殊再生を行う場合には、必要な特殊再生用テーブルを参照して読
み出すべきセクタのアドレスを求め、光ディスク上でそのアドレスを検索して画
像を再生する。
【００４０】
この結果、通常再生以外の特殊再生時において、特殊再生用テーブルを参照し
て読み出すべきセクタのアドレスを求めるので、特殊再生を容易に行うことがで
き、また検索動作時に素早い検索再生画像を得ることが可能となる。
【図面の簡単な説明】
【００４１】
【図１】本発明による光ディスクの第１の実施例を示す図
【図２】本発明による光ディスクの第２の実施例を示す図
【図３】本発明による光ディスクの第３の実施例を示す図
【図４】本発明による光ディスクの第４の実施例を示す図
【図５】本発明による光ディスクの第５の実施例を示す図
【図６】本発明による光ディスクの第６の実施例を示す図
【図７】本発明による光ディスクの第７の実施例を示すデータフォーマットの模式図
【図８】本発明による光ディスクの第８の実施例を示すデータフォーマットの模式図
【図９】本発明による光ディスクの第９の実施例を示すデータフォーマットの模式図
【図１０】本発明による光ディスク再生装置の実施例を示すトラックの模式図
【図１１】特殊再生時の動作のフローチャートである。
【図１】
2006031930.tif 000003
【図２】
2006031930.tif 000004
【図３】
2006031930.tif 000005
【図４】
2006031930.tif 000006
【図５】
2006031930.tif 000007
【図６】
2006031930.tif 000008
【図７】
2006031930.tif 000009
【図８】
2006031930.tif 000010
【図９】
2006031930.tif 000011
【図１０】
2006031930.tif 000012
【図１１】
2006031930.tif 000013
【手続補正書】
【提出日】平成17年8月18日(2005.8.18)
【手続補正１】
【補正対象書類名】特許請求の範囲
【補正対象項目名】全文
【補正方法】変更
【補正の内容】
【特許請求の範囲】
【請求項１】
複数のセクタからなり、夫々のセクタにはセクタアドレスが記録されている主情報が記録された光ディスクであって、
前記セクタは同期信号を有するブロックを複数備えており、該ブロックのうちセクタアドレスの先頭を含むブロックの同期信号はセクタアドレスの先頭を含まないブロックの同期信号と異なり、
前記主情報は可変転送レートで圧縮された画像データを含み、
前記光ディスクは、特殊再生用のテーブルを複数有し、さらに、夫々のテーブルは識別コードを有し、
前記複数の特殊再生用テーブルは、少なくとも、前記圧縮画像データのＩピクチャと対応するセクタアドレスとの関係を示すテーブルと、前記光ディスクに記録されている曲または章のインデックスと対応するセクタアドレスとの関係を示すテーブルであって、
前記識別コードにより所望のテーブルを識別し、該特殊再生用のテーブルを用いて、該テーブル内のセクタアドレスを参照して所望の画像データを選択的に再生可能とすることを特徴とする光ディスク。
【請求項２】
請求項１の光ディスクにおいて、
前記圧縮画像データのＩピクチャと対応するセクタアドレスとの関係を示すテーブルと、前記光ディスクに記録されている曲または章のインデックスと対応するセクタアドレスとの関係を示すテーブルは、ＴＯＣ（Table of Contents）に記録されていることを特徴とする光ディスク。
【請求項３】
光ディスクに画像データを記録する光ディスク記録方法であって、
前記画像データを可変転送レートで圧縮しセクタアドレスを有するセクタ構造で記録し、
前記セクタは同期信号を有するブロックを複数備えており、該ブロックのうちセクタアドレスの先頭を含むブロックの同期信号はセクタアドレスの先頭を含まないブロックの同期信号と異なり、
前記圧縮画像データのＩピクチャと対応するセクタアドレスとの関係を示すテーブルを記録し、
前記光ディスクに記録されている曲または章のインデックスと対応するセクタアドレスとの関係を示すテーブルを記録し、
夫々のテーブルに識別コードを付加して記録することを特徴とする光ディスク記録方法。
【請求項４】
請求項3の光ディスク記録方法において、
前記圧縮画像データのＩピクチャと対応するセクタアドレスとの関係を示すテーブルと、前記光ディスクに記録されている曲または章のインデックスと対応するセクタアドレスとの関係を示すテーブルを、ＴＯＣ（Table of Contents）に記録することを特徴とする光ディスク記録方法。
【請求項５】
光ディスクに記録された画像データを再生する光ディスク再生方法であって、
該光ディスクは、前記画像データが複数セクタで構成されて記録されており、夫々のセクタにはセクタアドレスが記録されており、  前記セクタは同期信号を有するブロックを複数備えており、該ブロックのうちセクタアドレスの先頭を含むブロックの同期信号はセクタアドレスの先頭を含まないブロックの同期信号と異なり、前記画像データは可変転送レートで圧縮されており、さらに特殊再生用のテーブルを複数有し、夫々のテーブルは識別コードを有し、該複数の特殊再生用テーブルは、少なくとも、前記圧縮画像データのＩピクチャと対応するセクタアドレスとの関係を示すテーブルと、前記光ディスクに記録されている曲または章のインデックスと対応するセクタアドレスとの関係を示すテーブルであって、
前記識別コードにより所望のテーブルを識別し、
前記特殊再生用テーブルを参照することにより所望の画像データを再生するためのセクタアドレスを検出し、
前記検出されたセクタアドレスを前記光ディスク上で検索して画像データを再生することを特徴とする光ディスク再生方法。
【請求項６】
請求項5の光ディスク再生方法において、
前記圧縮画像データのＩピクチャと対応するセクタアドレスとの関係を示すテーブルと、前記光ディスクに記録されている曲または章のインデックスと対応するセクタアドレスとの関係を示すテーブルは、ＴＯＣ（Table of Contents）に記録されていることを特徴とする光ディスク再生方法。